(57)【要約】  表示装置は、画面に画像を表示する表示素子と、走査を行う走査モード、および、該走査を休止する休止モードを交互に繰り返すように表示素子を駆動する駆動手段とを備える。駆動手段は、休止駆動制御信号を表示素子に送信して、２回の走査モードおよび２回の休止モードにより、１画面の走査を行うように表示素子を駆動する。駆動手段は、休止モードにて、タッチパネルに対し、検出を指示する検出指示信号を出力する。
2012137800.tif 000002
【特許請求の範囲】
【請求項１】
画面に画像を表示する表示素子と、走査を行う走査モード、および、該走査を休止する休止モードを交互に繰り返すように前記表示素子を駆動する駆動手段とを備える表示装置であって、
該駆動手段は、
複数回の走査モードおよび複数回の休止モードにより、１画面の走査を行うように前記表示素子を駆動可能であり、
前記休止モードにて、外部の検出装置に対し、検出を指示する検出指示信号を出力することを特徴とする表示装置。
【請求項２】
前記駆動手段は、前記休止モードにおいて、前記表示装置内の回路の動作を低減若しくは休止し、或いは該回路を低能力化することを特徴とする請求項１に記載の表示装置。
【請求項３】
前記表示素子は、マトリクス状に配列された複数の画素電極を備えるマトリクス型の表示素子であることを特徴とする請求項１または２に記載の表示装置。
【請求項４】
前記走査は飛越し走査であることを特徴とする請求項３に記載の表示装置。
【請求項５】
前記駆動手段は、１画面の走査を行う間に、前記画素電極に印加する電圧の極性を反転するように前記表示素子を駆動することを特徴とする請求項３または４に記載の表示装置。
【請求項６】
前記駆動手段は、前記休止モードから前記走査モードに移行する直前に、前記画素電極に印加する電圧の極性を反転するように前記表示素子を駆動することを特徴とする請求項３または４に記載の表示装置。
【請求項７】
前記表示素子は、前記画素電極を駆動するための複数のデータ信号線および複数の走査信号線とをさらに備えており、
前記駆動手段は、前記データ信号線および前記走査信号線をそれぞれ駆動するデータ駆動回路および走査駆動回路を備えており、
前記検出指示信号は、前記データ駆動回路および走査駆動回路の何れか一方が出力することを特徴とする請求項３から６までの何れか１項に記載の表示装置。
【請求項８】
前記駆動手段は、
１回の走査モードおよび１回の休止モードにより１画面の走査を行うように前記表示素子を駆動する通常走査用駆動手段と、
複数回の走査モードおよび複数回の休止モードにより１画面の走査を行うように前記表示素子を駆動する複数走査用駆動手段と、
通常走査用駆動手段および複数走査用駆動手段の何れかを選択する選択手段とを備えることを特徴とする請求項１から７までの何れか１項に記載の表示装置。
【請求項９】
前記選択手段は、前記通常走査用駆動手段を選択する期間と、前記複数走査用駆動手段を選択する期間との割合が予め設定されており、該割合に基づいて、通常走査用駆動手段および複数走査用駆動手段の何れかを選択することを特徴とする請求項８に記載の表示装置。
【請求項１０】
前記選択手段は、所定期間に前記通常走査用駆動手段を選択する回数と、前記所定期間に前記複数走査用駆動手段を選択する回数との何れかが予め設定されており、該回数に基づいて、通常走査用駆動手段および複数走査用駆動手段の何れかを選択することを特徴とする請求項８に記載の表示装置。
【請求項１１】
前記選択手段は、外部の装置からの指示に基づいて、通常走査用駆動手段および複数走査用駆動手段の何れかを選択することを特徴とする請求項８に記載の表示装置。
【請求項１２】
前記表示装置は液晶表示装置であることを特徴とする請求項１から１１までの何れか１項に記載の表示装置。
【請求項１３】
前記表示装置は、有機エレクトロルミネセンス表示装置であることを特徴とする請求項１から１１までの何れか１項に記載の表示装置。
【請求項１４】
前記表示素子は、複数の画素と、該複数の画素のそれぞれに設けられた複数のスイッチング素子とを備えており、
該スイッチング素子は、半導体層に酸化物半導体が用いられたＴＦＴであることを特徴とする請求項１から１３までの何れか１項に記載の表示装置。
【請求項１５】
前記酸化物半導体は、ＩＧＺＯであることを特徴とする請求項１４に記載の表示装置。
【請求項１６】
請求項１から１５までの何れか１項に記載の表示装置と、
該表示装置からの検出指示信号に基づいて検出を行う検出装置とを備えた電子機器。
【請求項１７】
前記検出装置は、前記表示装置の画面に設けられるタッチパネルであることを特徴とする請求項１６に記載の電子機器。
【請求項１８】
前記検出装置は、電波を検出して、該電波に含まれる信号を受信するＲＦ受信装置であることを特徴とする請求項１６に記載の電子機器。
【請求項１９】
画面に画像を表示する表示素子に対し、走査を行う走査モード、および、該走査を休止する休止モードを交互に繰り返すように駆動する表示装置の駆動方法であって、
複数回の走査モードおよび複数回の休止モードにより、１画面の走査を行うように前記表示素子を駆動しており、
前記休止モードにて、外部の検出装置に対し、検出を指示する検出指示信号を出力することを特徴とする表示装置の駆動方法。
【発明の詳細な説明】
【技術分野】
【０００１】
本発明は、画面に画像を表示する表示素子と、走査を行う走査モード、および、該走査を休止する休止モードを交互に繰り返すように前記表示素子を駆動する駆動手段とを備える表示装置およびその駆動方法、並びに電子機器に関するものである。
【背景技術】
【０００２】
近年、液晶表示装置に代表される薄型、軽量、および低消費電力の表示装置が盛んに活用されている。こうした表示装置は、例えば携帯電話機、スマートフォン、ラップトップ型ＰＣ（Personal Computer）等への搭載が顕著である。また、今後はより薄型の表示装置である電子ペーパーの開発および普及も急速に進むことが期待されている。このような状況の中、現在、各種の表示装置において消費電力を低下させることが共通の課題となっている。【０００３】
特許文献１には、画面を１回走査する走査期間よりも長い非走査期間であって、全走査信号線を非走査状態とする休止期間を設けることによって、低消費電力を実現する表示装置の駆動方法が開示されている。【０００４】
また、上記表示装置の表示画面に設けられるタッチパネルも盛んに活用されている（例えば、特許文献２）。該タッチパネルは、ユーザの指、ペンなど（以下、「指等」と称する。）によって指示された上記表示画面上の位置を検出し、検出した位置情報を出力する位置入力装置である。上記タッチパネルは、キーボード、マウスなどの入力装置に比べて、直感的な操作が可能であるため、例えば、携帯電話機、スマートフォン、タブレット型ＰＣ等への搭載が顕著である。
【先行技術文献】
【特許文献】
【０００５】
【特許文献１】日本国公開特許公報「特開２００１−３１２２５３号（２００１年１１月０９日公開）」
【特許文献２】日本国公開特許公報「特開２００１−０６００７９号（２００１年０３月０６日公開）」
【発明の概要】
【発明が解決しようとする課題】
【０００６】
上記タッチパネルにおける検出の動作は、上記表示装置における駆動信号の影響により、ＳＮ比（signal-to-noise ratio）が低下し、検出精度が悪化することになる。一方、上記表示装置における駆動信号の影響は、表示の走査を行う走査期間に比べて、表示の走査を行わない非走査期間では、著しく少なくなる。そこで、上記表示装置の非走査期間に、上記タッチパネルにおける検出の動作を行うことが考えられる。【０００７】
図１２は、従来の表示装置における動作状態の時間変化を示すタイミングチャートである。図１２に示すように、従来の表示装置では、１フレーム期間（１／６０≒１６．６ｍｓ）のほとんどが走査期間であり、非走査期間は、１００μｓオーダと著しく短い。【０００８】
一方、図１３は、特許文献１の表示装置における動作状態および各種信号の時間変化を示すタイミングチャートである。図１３に示すように、特許文献１の表示装置では、１フレーム期間における上記走査期間が短くなるので、上記非走査期間が長くなる。これにより、上記非走査期間が、上記タッチパネルにおける検出の動作に必要な検出期間よりも長くなり、上記非走査期間に上記検出を行うことが期待できる。【０００９】
ところで、ユーザが上記タッチパネルに手書きで入力した文字等の記号を自動認識する、いわゆる「手書き入力」機能を実現するには、上記タッチパネルは、上記手書きの検出の動作を、１秒間に１００回程度行う必要があると言われている。すなわち、上記タッチパネルが上記検出の動作を行う検出動作周波数が１００Ｈｚ程度またはそれ以上である必要がある。【００１０】
しかしながら、通常の表示装置は、１画面の画像を１秒間に６０回表示しており、すなわち、リフレッシュ周波数が６０Ｈｚである。このため、上記非走査期間は１秒間に６０回しかなく、その結果、上記手書きの検出の動作を上記非走査期間に行うことが困難となっている。【００１１】
本発明は、上記の問題点に鑑みてなされたものであり、その目的は、外部の検出装置における検出の動作の回数を増加させることが可能であり、かつ、上記検出の結果の精度を向上させることが可能な表示装置などを提供することにある。
【課題を解決するための手段】
【００１２】
本発明に係る表示装置は、画面に画像を表示する表示素子と、走査を行う走査モード、および、該走査を休止する休止モードを交互に繰り返すように前記表示素子を駆動する駆動手段とを備える表示装置であって、上記目的を達成するために、該駆動手段は、複数回の走査モードおよび複数回の休止モードにより、１画面の走査を行うように前記表示素子を駆動可能であり、前記休止モードにて、外部の検出装置に対し、検出を指示する検出指示信号を出力することを特徴としている。【００１３】
また、本発明に係る表示装置の駆動方法は、画面に画像を表示する表示素子に対し、走査を行う走査モード、および、該走査を休止する休止モードを交互に繰り返すように駆動する表示装置の駆動方法であって、上記目的を達成するために、複数回の走査モードおよび複数回の休止モードにより、１画面の走査を行うように前記表示素子を駆動しており、前記休止モードにて、外部の検出装置に対し、検出を指示する検出指示信号を出力することを特徴としている。【００１４】
上記の構成および方法によると、複数回の走査モードおよび複数回の休止モードにより１画面の走査を行うことが可能になる。従って、１回の走査モードおよび１回の休止モードにより１画面の走査を行う従来の表示装置に比べて、前記休止モードの回数を増やすことができる。【００１５】
また、前記休止モードにおいて、検出指示信号が外部の検出装置に出力されることにより、該検出装置は検出の動作を行う。これにより、前記検出装置では、前記検出の結果の精度を向上させることができる。また、上述のように、前記休止モードの回数を増やすことができるので、前記検出の動作の回数を増加させることができる。その結果、例えば前記手書き入力に対応することができる。
【発明の効果】
【００１６】
以上のように、本発明に係る表示装置は、複数回の走査モードおよび複数回の休止モードによる１画面の走査が可能となるので、従来の表示装置に比べて、前記休止モードの回数を増加できる一方、前記休止モードにおいて、検出指示信号を外部の検出装置に出力するので、該検出装置における検出の動作の回数を増加でき、かつ、上記検出の結果の精度を向上できるという効果を奏する。
【図面の簡単な説明】
【００１７】
【図１】本発明の一実施形態である電子機器の表示装置における動作状態および各種信号の時間変化を示すタイミングチャートである。
【図２】上記表示装置の休止モード時における走査線駆動回路の制御信号と該走査線駆動回路からの出力信号との例を示すタイミングチャートである。
【図３】（ａ）〜（ｃ）は、上記表示装置から出力する検出指示信号と、上記電子機器のタッチパネルの検出期間との例を示すタイミングチャートである。
【図４】本発明の別の実施形態である電子機器の表示装置における動作状態および各種信号の時間変化を示すタイミングチャートである。
【図５】本発明のさらに別の実施形態である電子機器の表示装置における動作状態および各種信号の時間変化を示すタイミングチャートである。
【図６】本発明のさらに別の実施形態である電子機器の表示装置における動作状態および各種信号の時間変化を示すタイミングチャートである。
【図７】本発明の他の実施形態である電子機器の表示装置におけるタイミングコントローラの概略構成を示すブロック図である。
【図８】上記表示装置における動作状態および各種信号の時間変化を示すタイミングチャートである。
【図９】上記電子機器の構成の詳細を示すブロック図である。
【図１０】上記電子機器の変形例の構成の詳細を示すブロック図である。
【図１１】遅延時間を考慮した表示装置の駆動方法を示すタイミングチャートである。
【図１２】従来の表示装置における動作状態の時間変化を示すタイミングチャートである。
【図１３】従来の別の表示装置における動作状態および各種信号の時間変化を示すタイミングチャートである。
【図１４】上記表示装置における表示パネルの構造の一例を示す構造図であり、ソース反転およびフレーム反転の一例を示すものである。
【図１５】上記表示パネルの構造の別の例を示す構造図であり、ソース反転およびフレーム反転の別の例を示すものである。
【図１６】上記表示パネルの構造の一例を示す構造図であり、ライン反転およびフレーム反転の一例を示すものである。
【図１７】上記表示パネルの構造の一例を示す構造図であり、ドット反転およびフレーム反転の一例を示すものである。
【図１８】上記表示装置の変形例の構成を示す説明図である。
【図１９】各種ＴＦＴの特性を示すグラフである。
【発明を実施するための形態】
【００１８】
〔実施の形態１〕
本発明の一実施形態について図１〜図３・図９・図１９を参照して説明する。
【００１９】
（電子機器１の構成）
まず、本実施形態に係る電子機器１の構成について、図９を参照して説明する。図９は、本実施形態に係る電子機器１の構成の詳細を示すブロック図である。図９に示すように、電子機器１は、表示装置２、タッチパネル３、および、本体装置１０を備えている。本実施形態の電子機器１では、本体装置１０は、表示装置２を介して映像を表示出力すると共に、ユーザの指示を、タッチパネル３を介して取得し、取得した指示に基づいて各種の処理を行っている。なお、映像以外にも、静止画像、記号など、任意の情報を表示装置２を介して表示出力してもよい。
【００２０】
表示装置２は、表示パネル（表示素子）２ａ、走査線駆動回路（ゲートドライバ、駆動手段）４、信号線駆動回路（ソースドライバ、駆動手段）５、共通電極駆動回路６、および、タイミングコントローラ（駆動手段）７を有している。さらに、タッチパネル３は、検出部８およびコントロール部９を有している。
【００２１】
表示パネル２ａは、マトリクス状に配置された複数の画素からなる画面を備えている。また、表示パネル２ａは、前記画面を線順次に選択して走査するためのＮ本（Ｎは任意の整数）の走査信号線Ｇ（ゲートライン）を備えている。さらに、表示パネル２ａは、選択されたラインに含まれる一行分の画素にデータ信号を供給するＭ本（Ｍは任意の整数）のデータ信号線Ｓ（ソースライン）を備えている。走査信号線Ｇとデータ信号線Ｓとは互いに交差している。
【００２２】
図９に示すＧ（ｎ）はｎ本目（ｎは１以上Ｎ以下の整数）の走査信号線Ｇを表す。例えば、Ｇ（１）、Ｇ（２）、および、Ｇ（３）は、それぞれ１本目、２本目および３本目の走査信号線Ｇを表す。一方、Ｓ（ｉ）はｉ本目（ｉは１以上Ｍ以下の整数）のデータ信号線Ｓを表す。例えば、Ｓ（１）、Ｓ（２）、および、Ｓ（３）は、それぞれ１本目、２本目および３本目のデータ信号線Ｓを表す。
【００２３】
走査線駆動回路４は、例えば、各走査信号線Ｇを画面の上から下に向かって順次走査する。その際、各走査信号線Ｇに対して、画素に備えられ画素電極に接続されるスイッチング素子をオン状態にさせるための矩形波を出力する。これにより、画面内の１行分の画素を選択状態にする。
【００２４】
但し、走査線駆動回路４における走査は、上述した順次走査に限定されない。例えば、１本目、３本目、５本目・・・と奇数番目の走査信号線を走査した後に、２本目、４本目、６本目・・・と偶数番目の走査信号線を走査する飛越し走査を行ってもよい。
【００２５】
信号線駆動回路５は、本体装置１０からタイミングコントローラ７を介して入力された映像信号（矢印Ａ）から、選択された１行分の各画素に出力すべき電圧の値を算出し、その値の電圧を各データ信号線Ｓに出力する。結果、選択された走査信号線Ｇ上にある各画素に対して、画像データを供給する。
【００２６】
表示装置２は、画面内の各画素に対して設けられる共通電極（不図示）を備えている。共通電極駆動回路６は、タイミングコントローラ７から入力される信号（矢印Ｂ）に基づき、共通電極を駆動するための所定の共通電圧を共通電極に出力する（矢印Ｃ）。
【００２７】
タイミングコントローラ７は、本体装置１０から入力されたクロック信号、水平同期信号、および垂直同期信号（矢印Ｄ、クロック信号、映像同期信号）に基づき、各回路が同期して動作するための基準となる信号を各回路に対して出力する。具体的には、走査線駆動回路４には、垂直同期信号に基づいて、ゲートスタートパルス信号、ゲートクロック信号、およびゲートアウトプットイネーブル信号を出力する（矢印Ｅ）。信号線駆動回路５には、水平同期信号に基づいて、ソーススタートパルス信号、ソースラッチストローブ信号、およびソースクロック信号を出力する（矢印Ｆ）。
【００２８】
走査線駆動回路４は、タイミングコントローラ７から受け取ったゲートスタートパルス信号を合図に表示パネル２ａの走査を開始し、走査信号線Ｇの選択状態をシフトさせていく信号であるゲートクロック信号に従って各走査信号線Ｇに順次選択電圧を印加していく。信号線駆動回路５は、タイミングコントローラ７から受け取ったソーススタートパルス信号を基に、入力された各画素の画像データをソースクロック信号に従ってレジスタに蓄える。そして、信号線駆動回路５は、画像データを蓄えた後に、次のソースラッチストローブ信号に従って表示パネル２ａの各データ信号線Ｓに画像データを書き込む。画像データの書き込みには、例えば、信号線駆動回路５が有するアナログアンプが用いられる。
【００２９】
タッチパネル３では、検出部８は、表示装置２の表示パネル２ａの画面に設けられ、ユーザの指等によって指示された上記画面上の位置を検出するものであり、コントロール部９は、検出部８を制御するものである。具体的には、コントロール部９が、駆動ラインＴｘを介して、検出部８を駆動すると、検出部８は、上記位置を検出し、検出信号を検出ラインＳｘを介してコントロール部９に送信する。コントロール部９は、検出部８からの検出信号に基づいて、検出した位置を示す検出データ（矢印Ｉ）を作成し、本体装置１０へ送信する。
【００３０】
本実施形態では、投影型静電容量方式のタッチパネル３が利用されている。投影型静電容量方式のタッチパネル３の場合、検出部８は、ＩＴＯ（Indium Tin OxＩde）などによるマトリクス状の透明電極パターンを、ガラス、プラスチックなどの透明基板上に形成したものとなる。検出部８にユーザの指等が接触または接近すると、その付近の複数の透明電極パターンにおける静電容量が変化する。従って、コントロール部９は、上記透明電極パターンの電流または電圧の変化を検出することにより、ユーザの指等が接触または接近した位置を検出することができる。
【００３１】
なお、タッチパネル３は、上記画面上の任意の位置にユーザの指等が接触または接近することを検出する場合もある。この場合、上記接触または接近を検出すればよく、上記位置を検出する必要は無い。
【００３２】
本体装置１０は、タッチパネル３からの検出データに基づき、ユーザの操作を認識したり、表示装置２の表示を制御するために、映像信号および映像同期信号を表示装置２に送信したりするなど、各種の処理を行うものである。
【００３３】
なお、電子機器１内の各回路が動作するために必要な電圧は、例えば、電源生成回路（不図示）から供給されるが、この電源生成回路は、本体装置１０に含まれていても良い。この場合、本体装置１０から表示装置２へ、各電圧が供給されるとともに、本体装置１０からタッチパネル３へ、各電圧が供給される。電子機器１内の各回路が動作するために必要な電圧の一例として、信号線駆動回路５には、電源電圧Ｖｄｄが供給される。
【００３４】
なお、以下では、走査線駆動回路４および信号線駆動回路５を総称する場合には「駆動回路４・５」と記載する。
【００３５】
本実施形態では、タイミングコントローラ７は、駆動回路４・５の駆動および休止を制御する信号である休止駆動制御信号（矢印Ｇ）を、駆動回路４・５に出力する。
【００３６】
具体的には、タイミングコントローラ７は、走査を行う走査モードの場合、上記駆動を指示する休止駆動制御信号を駆動回路４・５に出力する。これにより、駆動回路４・５は、表示の走査を行うように、表示パネル２ａを駆動する。
【００３７】
一方、タイミングコントローラ７は、上記走査を休止する休止モードの場合、上記休止を指示する休止駆動制御信号を駆動回路４・５に出力する。これにより、駆動回路４・５は、表示の走査を休止する。タイミングコントローラ７は、上記走査モードおよび上記休止モードを交互に繰り返している。
【００３８】
また、タイミングコントローラ７は、上記休止モードの場合に、タッチパネル３における検出動作を指示する信号である検出指示信号（矢印Ｈ）を、タッチパネル３のコントロール部９へ出力する。タッチパネル３では、コントロール部９が、表示装置２のタイミングコントローラ７から検出指示信号を受け取ると、検出部８が検出の動作を行い、該検出の結果を示す検出データをコントロール部９が本体装置１０に出力する。
【００３９】
さらに、本実施形態では、タイミングコントローラ７は、２回の走査モードおよび２回の休止モードにより、１画面の走査を行うように、上記休止駆動制御信号を駆動回路４・５に出力している。
【００４０】
図１は、本実施形態の表示装置２における動作状態および各種信号の時間変化を示すタイミングチャートである。図１では、上から順に、垂直同期信号と、動作モードと、休止駆動制御信号と、各走査信号線Ｇに出力される走査信号とを示している。
【００４１】
なお、本実施形態および以下の実施形態では、休止駆動制御信号と検出指示信号とは同じであるが、これに限定されるものではない。例えば、休止駆動制御信号と検出指示信号との位相が逆転していてもよいし、休止駆動制御信号により休止モードに入った後に、検出指示信号の変化が開始してもよい。すなわち、休止モードになるタイミングよりも検出動作を開始するタイミングを遅らせてもよい。また、簡略化のため、走査信号線Ｇの数は、１８本としているが、これに限定されるものではない。
【００４２】
図１を参照すると、まず、垂直同期信号の立下りパルスが入力されて、１画面の走査が開始され、第１の走査モードに移行する。この時、休止駆動制御信号がＬ（低）レベルになり、走査信号線Ｇ１〜Ｇ９が順次駆動されて、画面の上半分における走査が行われる。なお、検出指示信号がＬ（低）レベルになるので、タッチパネル３にて検出の動作が休止される。
【００４３】
次に、第１の休止モードに移行する。この時、休止駆動制御信号がＨ（高）レベルになり、上記走査が休止される。同時に、検出指示信号がＨ（高）レベルになることにより、タッチパネル３にて検出の動作が行われる。
【００４４】
次に、第２の走査モードに移行する。この時、休止駆動制御信号がＬレベルになり、残りの走査信号線Ｇ１０〜Ｇ１８が順次駆動されて、画面の下半分における走査が行われて、１画面の走査が完了する。なお、検出指示信号がＬレベルになるので、タッチパネル３にて検出の動作が休止される。
【００４５】
次に、第２の休止モードに移行する。この時、休止駆動制御信号がＨレベルになり、上記走査が休止される。同時に、検出指示信号がＨレベルになることにより、タッチパネル３にて検出の動作が行われる。その後、垂直同期信号の立下りパルスが再び入力されて、上記動作を繰り返す。
【００４６】
図１と、従来例である図１３とを比較すると、本実施形態では、１フレーム期間における休止モード（休止期間）の回数が、従来例に比べて１回から２回に倍増していることが理解できる。通常、１フレーム期間が６０回で１秒となるので、１秒間の休止モードの回数は、２×６０＝１２０回に増えることになる。
【００４７】
また、駆動信号による影響の少ない休止モードにおいて、タッチパネル３は、検出の動作を行っている。従って、当該検出の結果の精度を向上させることができる。また、上記検出を１秒間に１２０回行うことができる。その結果、例えば手書き入力に対応することができる。
【００４８】
また、本実施形態では、表示パネル２ａの各画素におけるスイッチング素子として、その半導体層にいわゆる酸化物半導体を用いたＴＦＴ（Thin Film Transistor）を採用している。上記酸化物半導体には、例えばＩＧＺＯ（InGaZnOx）が含まれる。この構成の利点について、図１９を参照して説明する。
【００４９】
図１９は、各種ＴＦＴの特性を示すグラフである。図１９では、酸化物半導体を用いたＴＦＴ、ａ−Ｓｉ（amorphous silicon）を用いたＴＦＴ、およびＬＴＰＳ（Low Temperature Poly Silicon）を用いたＴＦＴの各々の特性が示されている。図示において、横軸はゲート電圧Ｖghを示し、縦軸はドレイン電流Ｉdを示している。
【００５０】
図１９に示すように、ＴＦＴは、ゲート電圧Ｖghが或る閾値Ｖgh（TFT-off）以下である場合、ドレイン電流Ｉdが小さくかつ略一定であるオフ状態となる。次に、ゲート電圧Ｖghが上昇して上記閾値Ｖgh（TFT-off）を超えると、ドレイン電流Ｉdが上昇する。そして、ゲート電圧Ｖghがさらに上昇して別の閾値Ｖgh（TFT-on）を超えると、ドレイン電流Ｉdが大きくかつ略一定であるオン状態となる。
【００５１】
さらに、図１９に示すように、酸化物半導体を用いたＴＦＴは、ａ−Ｓｉを用いたＴＦＴよりも、オン状態での電流（すなわち、電子移動度）が大きい。図示は省略するが、具体的には、ゲート電圧Ｖgh（TFT-on）でのドレイン電流Ｉdが、ａ−Ｓｉを用いたＴＦＴでは１μＡであるのに対し、酸化物半導体を用いたＴＦＴでは２０〜５０μＡ程度であった。このことから、酸化物半導体を用いたＴＦＴは、ａ−Ｓｉを用いたＴＦＴよりも、オン状態での電子移動度が２０〜５０倍程度高く、オン特性が非常に優れていることが理解できる。
【００５２】
また、図１９に示すように、酸化物半導体を用いたＴＦＴは、ａ−Ｓｉを用いたＴＦＴやＬＴＰＳを用いたＴＦＴよりも、オフ状態での電流（すなわち、リーク電流）が少ない。図示は省略するが、具体的には、ゲート電圧Ｖgh（TFT-off）でのドレイン電流Ｉdが、ａ−Ｓｉを用いたＴＦＴでは１０ｐＡであるのに対し、酸化物半導体を用いたＴＦＴでは０．１ｐＡ程度であった。このことから、酸化物半導体を用いたＴＦＴは、オフ状態でのリーク電流が、ａ−Ｓｉを用いたＴＦＴの１００分の１程度であり、リーク電流が殆ど生じず、オフ特性が非常に優れていることが理解できる。
【００５３】
以上のことから、本実施形態の表示装置２において、酸化物半導体を半導体層に用いたＴＦＴを各画素のスイッチング素子に採用することによって、各画素のＴＦＴのオン特性およびオフ特性が非常に優れたものとなる。従って、各画素に対して画素データを書き込む時の電子移動量が増大し、該書き込みにかかる時間をより短縮することができる。
【００５４】
すなわち、本実施形態の表示装置２は、走査を著しく高速に行うことができ、走査モードの期間を短縮することができるので、休止モードの期間を十分に確保することができる。従って、タッチパネル３における検出の結果の精度をさらに向上させることができる。
【００５５】
なお、本実施形態では、タイミングコントローラ７は、休止駆動制御信号を新たに生成して、駆動回路４・５に出力しているが、信号線駆動回路５に対しては休止駆動制御信号を新たに生成することなく、既存の信号のみで休止駆動を実現することもできる。図２は、走査線駆動回路４の制御信号と走査線駆動回路４からの出力信号との例を示すタイミングチャートである。図２では、上から順に、ゲートクロック信号ＧＣＫ、ゲート出力イネーブル信号ＧＯＥ、および走査信号Ｇ１〜Ｇ７の時間変化を示している。
【００５６】
ゲート出力イネーブル信号ＧＯＥは、ゲートクロック信号ＧＣＫの立下りから所定期間を経過した時点（ゲートクロック信号ＧＣＫの立上りの直前）で、立ち上がり、ゲートクロック信号ＧＣＫの立上りの所定期間後に立ち下がるものである。ゲート出力イネーブル信号ＧＯＥは、立上り時に、現在Ｈレベルの走査信号Ｇが立ち下がり、立下り時に、次の走査信号Ｇが立ち上がる。すなわち、ゲート出力イネーブル信号ＧＯＥがＨレベルの時、全ての走査信号ＧがＬレベルとなり、駆動が休止することになる。
【００５７】
そこで、休止モードになると、ゲートクロック信号ＧＣＫをＬレベルに維持して、かつ、ゲート出力イネーブル信号ＧＯＥを、上記所定期間経過後にＨレベルに維持する。その結果、走査信号線Ｇの駆動が休止する。以上より、既存の信号のみで休止駆動を実現できることが理解できる。
【００５８】
また、タッチパネル３における検出の動作は、該動作に必要な最短期間よりも長く、かつ、検出指示信号がＨレベルである期間内であれば、任意のタイミングで行うことができる。図３は、検出指示信号と、タッチパネル３が検出動作を行う検出期間との例を示すタイミングチャートである。図３の（ａ）〜（ｃ）では、それぞれ、上段に検出指示信号を記載し、下段にタッチパネル３の検出期間（Ｈレベル）を示している。
【００５９】
図３の（ａ）の例では、検出指示信号がＨレベルである期間が、タッチパネル３の検出期間となっている。また、図３の（ｂ）の例では、検出指示信号の立上り時点からの所定期間が、タッチパネル３の検出期間となっている。なお、この所定期間は、検出指示信号がＨレベルである期間と同じか或いは短ければよい。また、図３の（ｃ）の例では、検出指示信号の立上り時点よりも後の時点から、検出指示信号の立下り時点よりも前の時点までが、タッチパネル３の検出期間となっている。従って、図３の（ａ）〜（ｃ）から、タッチパネル３の検出期間は、種々に変更可能であることが理解できる。
【００６０】
また、本実施形態では、投影型静電容量方式のタッチパネル３を利用しているが、表面型静電容量方式、抵抗膜方式など、任意の検出方式のタッチパネル３を利用することができる。なお、投影型静電容量方式の場合、検出部８に多数の電極パターンが形成されるため、表示パネル２ａにおける駆動の影響を受けやすい。従って、投影型静電容量方式のタッチパネル３を備えた電子機器１に対し、本発明の表示装置２を適用することにより、より顕著な効果が期待できる。
【００６１】
〔実施の形態２〕
次に、本発明の別の実施形態について、図４を参照して説明する。本実施形態の電子機器１は、図１に示す電子機器１に比べて、休止モードにて、信号線駆動回路５における駆動能力を低減する点が異なり、その他の構成は同様である。なお、上記実施形態で説明した構成および処理と同様の構成および処理には同一の符号を付して、その説明を省略する。
【００６２】
図４は、本実施形態の表示装置２における動作状態および各種信号の時間変化を示すタイミングチャートである。図４では、上から順に、垂直同期信号と、動作モードと、休止駆動制御信号と、信号線駆動回路５における駆動能力の状態とを示している。なお、上記駆動能力の状態について、Ｈレベルは通常の駆動を行う状態であり、Ｌレベルは、当該駆動を低減化した状態である。信号線駆動回路５における駆動能力の低減化としては、水平同期信号や映像信号を受信する受信回路の停止、アナログアンプの停止、動作速度を半分にするなど、種々のものが考えられる。
【００６３】
図４を参照すると、信号線駆動回路５は、第１・第２走査モードにて、通常の駆動を行う一方、第１・第２休止モードにて、当該駆動を低減化している。これにより、表示装置２は、休止モードにおける消費電力を低減することができる。また、表示装置２は、上記駆動によるノイズの発生を低減化できるので、タッチパネル３による検出の結果の精度をさらに向上させることができる。
【００６４】
〔実施の形態３〕
次に、本発明のさらに別の実施形態について、図５を参照して説明する。本実施形態の電子機器１は、図１に示す電子機器１に比べて、表示装置２の走査が飛越し（インターレース）走査である点と、第１休止モードから第２走査モードに移行する直前に、データ信号の極性を反転している点が異なり、その他の構成は同様である。なお、上記実施形態で説明した構成および処理と同様の構成および処理には同一の符号を付して、その説明を省略する。
【００６５】
図５は、本実施形態の表示装置２における動作状態および各種信号の時間変化を示すタイミングチャートである。図５では、上から順に、垂直同期信号と、動作モードと、休止駆動制御信号と、各走査信号線Ｇに出力される走査信号と、データ信号線Ｓに出力されるデータ信号の極性とを示している。
【００６６】
図５を参照すると、まず、垂直同期信号の立下りパルスが入力されて、１画面の走査が開始され、第１の走査モードに移行する。この時、休止駆動制御信号がＬレベルになり、奇数ラインの走査信号線Ｇ１・Ｇ３・Ｇ５…が順次駆動されて、画面の半分における走査が行われる。なお、検出指示信号がＬレベルになるので、タッチパネル３にて検出の動作が休止される。
【００６７】
次に、第１の休止モードに移行する。この時、休止駆動制御信号がＨレベルになり、上記走査が休止される。同時に、検出指示信号がＨレベルになることにより、タッチパネル３にて検出の動作が行われる。
【００６８】
次に、第２の走査モードに移行する直前に、データ信号の極性が反転され、その後、第２の走査モードに移行する。この時、休止駆動制御信号がＬレベルになり、偶数ラインの走査信号線Ｇ２・Ｇ４・Ｇ６…が順次駆動されて、画面の残り半分における走査が行われて、１画面の走査が完了する。なお、検出指示信号がＬレベルになるので、タッチパネル３にて検出の動作が休止される。
【００６９】
次に、第２の休止モードに移行する。この時、休止駆動制御信号がＨレベルになり、上記走査が休止される。同時に、検出指示信号がＨレベルになることにより、タッチパネル３にて検出の動作が行われる。その後、垂直同期信号の立下りパルスが再び入力されて、上記動作を繰り返す。
【００７０】
図１に示す表示装置２の場合、上部の走査と下部の走査との間に休止モードの期間が存在するため、例えば上部と下部との境界にラインが視認されるなど、１画面の走査が不連続で行われることにより表示品位が低下する虞が考えられる。これに対し、本実施形態の表示装置２では、飛越し走査が行われるので、上記ラインが視認される虞は無くなり、表示品位の低下を抑制することができる。
【００７１】
また、データ信号の極性が、次の１フレーム期間に反転しているので、表示パネル２ａに画像が焼き付くことを防止できる。ところで、データ信号の極性を、第１走査モードから第１休止モードに移行した直後に反転する場合、輝度傾斜が視認されるなど、表示品位が低下する虞がある。これに対し、本実施形態の表示装置２では、データ信号の極性は、第１走査モードから第１休止モードに移行する直前に反転するのではなく、第２走査モードに移行する直前に反転している。すなわち、上記極性を反転するまでの期間が長くなるので、上記輝度傾斜が視認される可能性が低くなり、表示品位の低下を抑制することができる。
【００７２】
ここで、表示装置２における上記極性の反転駆動について説明する。同じ画像を同じ位置に長時間表示することにより、当該画像が画面に焼き付くことを防止するため、表示パネル２ａにおける画素電極は、所定回数（例えば１回）の１フレーム期間ごとに電圧の極性を反転することが望ましい。表示パネル２ａの全画素電極に対して、或るフレームにて同じ極性の電圧を印加し、当該或るフレームの次のフレームにて逆極性の電圧を印加し、これを繰り返す反転方式は、「フレーム反転」と称される。フレーム反転は、或るフレームにて全データ信号線Ｓに印加する電圧の極性を、１フレーム期間ごとに反転することにより実現できる。
【００７３】
さらに、フリッカ防止のため、走査信号線Ｇの方向およびデータ信号線Ｓの方向の少なくとも一方に配列した画素電極ごとに電圧の極性を反転することが望ましい。この反転には、「ソース反転」、「ライン反転」、および「ドット反転」などがある。以下、図１４〜図１７を参照してこれらの反転を詳細に説明する。
【００７４】
図１４〜図１７は、表示パネル２ａにおける走査信号線Ｇ、データ信号線Ｓ、および画素電極の構造を示す構造図である。また、図１４〜図１７のそれぞれについて、（ａ）は、或るフレーム（第ｎフレーム）における各画素電極の電圧の極性を示しており、（ｂ）は、次のフレーム（第（ｎ＋１）フレーム）にて逆極性の電圧が印加された各画素電極の電圧の極性を示している。各画素電極の電圧の極性は、図中の＋（プラス）および−（マイナス）によって示されている。
【００７５】
図１４は、ソース反転の一例を示している。ソース反転は、データ信号線（ソース線）Ｓごとに印加する電圧の極性を反転したものである。これにより、図１４に示すように、走査信号線Ｇの方向に配列した画素電極ごとに電圧の極性を反転することができる。
【００７６】
図１５は、図１４と同じソース反転であるが、図１４に比べて画素電極の配置が異なっている。図１４では、データ信号線Ｓに接続する画素電極が、当該データ信号線Ｓに対して一方の側（図示の例では右側）に配置されている。これに対し、図１５では、データ信号線Ｓに接続する画素電極が、当該データ信号線Ｓに対して千鳥状に配置されている。このため、隣り合うデータ信号線Ｓの間に配置された画素電極の電圧の極性は、図１４の配置では同じであるが、図１５の配置では互い違いとなっている。
【００７７】
図１６は、ライン反転の一例を示している。ライン反転は、データ信号線Ｓに印加する電圧の極性を、駆動される走査信号線Ｇごと（水平走査期間ごと）に反転したものである。これにより、図１４に示すように、データ信号線Ｓの方向に配列した画素電極ごとに電圧の極性を反転することができる。
【００７８】
図１７は、ドット反転の一例を示している。ドット反転は、図１４に示すソース反転と、図１６に示すライン反転とを組み合わせることにより実現できる。具体的には、１番目の走査信号線Ｇ１の駆動時に、各データ信号線Ｓに印加する電圧の極性を、１番目をプラス（＋）とし、以下、順番に反転する。次に、２番目の走査信号線Ｇ２の駆動時に、各データ信号線Ｓに印加する電圧の極性を、１番目をマイナス（−）とし、以下、順番に反転する。そして、３番目以降の走査信号線Ｇの駆動時にも同様に繰り返すことにより、図１７に示すように、走査信号線Ｇの方向およびデータ信号線Ｓの方向に隣り合う画素電極どうしの電圧の極性を異なるようにすることができる。
【００７９】
ところで、本実施形態の表示装置２の場合、図５に示すように、飛越し走査を行いつつ、データ信号線Ｓに印加する電圧の極性を、第１走査モードと第２走査モードとの間で反転している。これにより、図１６に示すようなライン反転を実現することができる。その結果、上記電圧の極性を、駆動される走査信号線Ｇごとに反転する場合に比べて、消費電力を抑えつつ上記ライン反転を実現することができる。なお、本実施形態では、１本の走査信号線Ｇごとに飛越し走査を行っているが、複数本の走査信号線Ｇごとに飛越し走査を行ってもよい。
【００８０】
〔実施の形態４〕
次に、本発明のさらに別の実施形態について、図６を参照して説明する。本実施形態の電子機器１は、図１に示す電子機器１に比べて、３回の走査モードおよび３回の休止モードにより、１画面の走査を行っている点と、休止モードから走査モードに移行する直前に、データ信号の極性を反転している点が異なり、その他の構成は同様である。なお、上記実施形態で説明した構成および処理と同様の構成および処理には同一の符号を付して、その説明を省略する。
【００８１】
図６は、本実施形態の表示装置２における動作状態および各種信号の時間変化を示すタイミングチャートである。図６では、上から順に、垂直同期信号と、動作モードと、休止駆動制御信号と、各走査信号線Ｇに出力される走査信号と、データ信号線Ｓに出力されるデータ信号の極性とを示している。
【００８２】
図６を参照すると、まず、垂直同期信号の立下りパルスが入力されて、１画面の走査が開始される。次に、第１の走査モードに移行する直前に、データ信号の極性が反転され、その後、第１の走査モードに移行する。この時、休止駆動制御信号がＬレベルになり、上部の走査信号線Ｇ１〜Ｇ６が順次駆動されて、画面の上部における走査が行われる。なお、検出指示信号がＬレベルになるので、タッチパネル３にて検出の動作が休止される。
【００８３】
次に、第１の休止モードに移行する。この時、休止駆動制御信号がＨレベルになり、上記走査が休止される。同時に、検出指示信号がＨレベルになることにより、タッチパネル３にて検出の動作が行われる。
【００８４】
次に、第２の走査モードに移行する直前に、データ信号の極性が反転され、その後、第２の走査モードに移行する。この時、休止駆動制御信号がＬレベルになり、中部の走査信号線Ｇ７〜Ｇ１２が順次駆動されて、画面の中部における走査が行われる。なお、検出指示信号がＬレベルになるので、タッチパネル３にて検出の動作が休止される。
【００８５】
次に、第２の休止モードに移行する。この時、休止駆動制御信号がＨレベルになり、上記走査が休止される。同時に、検出指示信号がＨレベルになることにより、タッチパネル３にて検出の動作が行われる。
【００８６】
次に、第３の走査モードに移行する直前に、データ信号の極性が反転され、その後、第３の走査モードに移行する。この時、休止駆動制御信号がＬレベルになり、下部の走査信号線Ｇ１３〜Ｇ１８が順次駆動されて、画面の下部における走査が行われて、１画面の走査が完了する。なお、検出指示信号がＬレベルになるので、タッチパネル３にて検出の動作が休止される。
【００８７】
次に、第３の休止モードに移行する。この時、休止駆動制御信号がＨレベルになり、上記走査が休止される。同時に、検出指示信号がＨレベルになることにより、タッチパネル３にて検出の動作が行われる。その後、垂直同期信号の立下りパルスが再び入力されて、上記動作を繰り返す。
【００８８】
以上のように、本実施形態の表示装置２では、１フレーム期間における走査モードおよび休止モードの各回数は３以上であっても、本発明の上記効果を奏することができる。
【００８９】
また、データ信号の極性が、次の１フレーム期間に反転しているので、表示パネル２ａに画像が焼き付くことを防止できる。さらに、データ信号の極性は、走査モードから休止モードに移行する直前に反転するのではなく、次の走査モードに移行する直前に反転している。すなわち、上記極性を反転するまでの期間が長くなるので、上記輝度傾斜が視認される可能性が低くなり、表示品位の低下を抑制することができる。
【００９０】
〔実施の形態５〕
次に、本発明の他の実施形態について、図７および図８を参照して説明する。本実施形態の電子機器１は、図１に示す電子機器１に比べて、タイミングコントローラ７が、１回の走査モードおよび１回の休止モードにより、１画面の走査を行う通常走査用タイミング信号の出力と、２回の走査モードおよび２回の休止モードにより、１画面の走査を行う複数走査用タイミング信号の出力とが切り替え可能である点が異なり、その他の構成は同様である。なお、上記実施形態で説明した構成および処理と同様の構成および処理には同一の符号を付して、その説明を省略する。
【００９１】
図７は、本実施形態における表示装置２のタイミングコントローラ７の概略構成を示すブロック図である。図７に示すように、タイミングコントローラ７は、通常走査用タイミング生成回路（通常走査用駆動手段）７０、複数走査用タイミング生成回路（複数走査用駆動手段）７１、および選択部（選択手段）７２を備える構成である。
【００９２】
通常走査用タイミング生成回路７０は、１回の走査モードおよび１回の休止モードにより、１画面の走査（以下、「通常走査」と称する。）を行うように、休止駆動制御信号および検出指示信号を生成するものである。また、複数走査用タイミング生成回路７１は、２回の走査モードおよび２回の休止モードにより、１画面の走査（以下、「複数走査」と称する。）を行うように、休止駆動制御信号および検出指示信号を生成するものである。
【００９３】
選択部７２は、通常走査用タイミング生成回路７０および複数走査用タイミング生成回路７１の何れかを、予め設定された条件に基づいて選択するものである。選択部７２は、選択した回路から休止駆動制御信号および検出指示信号を取得して、それぞれ、駆動回路５・６およびタッチパネル３に出力する。
【００９４】
選択部７２の上記予め設定された条件としては種々のものが考えられる。例えば、通常走査と複数走査とを１フレーム期間ごとに交互に行うことが考えられる。この場合、タッチパネル３が１秒間に検出の動作を行う回数は、６０回×１．５＝９０回となる。
【００９５】
また、１秒間のうち、所定回数の１フレーム期間に複数走査を行い、残りの１フレーム期間に通常走査を行うことが考えられる。例えば、最初の４０回の１フレーム期間に複数走査を行い、残り２０回の１フレーム期間に通常走査を行うと、タッチパネル３が１秒間に検出の動作を行う回数は、４０回×２＋２０回＝１００回となる。
【００９６】
図８は、本実施形態の表示装置２における動作状態および各種信号の時間変化を示すタイミングチャートである。図８では、上から順に、垂直同期信号と、動作モードと、休止駆動制御信号とを示している。
【００９７】
図８は、通常走査と複数走査とを１フレーム期間ごとに交互に行う例を示している。なお、１フレーム期間のうち、通常走査における走査モードの期間は、複数走査における走査モードの期間の合計値と異なっていてもよいし、同じであってもよい。
【００９８】
なお、上記実施形態では、選択部７２は、予め設定された条件に基づいて選択しているが、本体装置１０からの指示に基づいて選択してもよい。この場合、本体装置１０が所望するタイミングで、タッチパネル３の検出の回数を増加させることができる。
【００９９】
〔変形例１〕
以下に、本実施形態の電子機器１の変形例について、図１０および図１１を参照して説明する。
【０１００】
（電子機器１’）
図１０は、本実施形態に係る電子機器１’の構成の詳細を示すブロック図である。電子機器１と電子機器１’との相違点は、検出指示信号の経路である。
【０１０１】
上述したように、図９の電子機器１では、表示装置２のタイミングコントローラ７からタッチパネル３のコントロール部９へ、直接、検出指示信号が出力される。
【０１０２】
これに対して、図１０の電子機器１’では、検出指示信号が、表示装置２のタイミングコントローラ７から本体装置１０を介して、タッチパネル３のコントロール部９へ出力される。
【０１０３】
具体的には、表示装置２のタイミングコントローラ７は、第１検出指示信号（矢印Ｈ１）を、本体装置１０へ出力する。次に、第１検出指示信号を受けた本体装置１０は、第１検出指示信号とタイミングが概略等しい第２検出指示信号（矢印Ｈ２）を、タッチパネル３のコントロール部９へ出力する。
【０１０４】
図１０の電子機器１’に示される経路で検出指示信号が出力される場合、本体装置１０を介する分だけ遅延が生じる。また、第１検出指示信号に対して、例えば信号レベルを反転するなどの信号処理を施す場合、この信号処理によっても遅延が生じる。
【０１０５】
これらの遅延、即ち、本体装置１０を介することによる遅延や、本体装置１０における信号処理による遅延により、第１検出指示信号と第２検出指示信号との間で、遅延時間Ｔｄｅｌａｙが生じる。
【０１０６】
よって、図１０の電子機器１’では、例えば図１１に示されるように、遅延時間Ｔｄｅｌａｙを考慮して、各検出指示信号を出力する構成としてもよい。即ち、タイミングコントローラ７は、タッチパネル検出期間Ｔｔｐの開始時刻よりも遅延時間Ｔｄｅｌａｙ分だけ早く、第１検出指示信号（矢印Ｈ１）を、本体装置１０へ出力する構成などが挙げられる。
【０１０７】
第１検出指示信号を受けた本体装置１０は、第１検出指示信号に、必要に応じて上記信号処理を施して、第２検出指示信号を生成して、タッチパネル３のコントロール部９へ出力する。
【０１０８】
これにより、第１検出指示信号が出力される時刻から遅延時間Ｔｄｅｌａｙを経過した時刻を、タッチパネル検出期間Ｔｔｐの開始時刻とすることが出来る。
【０１０９】
（表示パネル２ａ）
本実施形態に係る表示パネル２ａは、液晶層を備える液晶パネルであってもよい。この場合、本実施形態に係る表示装置２は、液晶表示装置となる。
【０１１０】
また、本実施形態に係る表示パネル２ａの画素が、流れる電流に応じた輝度で発光する素子である有機ＥＬ（Electro luminescence：エレクトロルミネッセンス）ダイオードを有しても良い。この場合、本実施形態に係る表示装置２は、有機ＥＬディスプレイ（有機エレクトロルミネッセンス表示装置）となる。
【０１１１】
有機ＥＬディスプレイは、走査モードにおける消費電流が大きく、該有機ＥＬディスプレイにおける駆動信号が検出装置に及ぼす影響が増大する。そこで、当該有機ＥＬディスプレイに対し、本願発明を適用すれば、いっそう効果を奏することになる。
【０１１２】
〔変形例２〕
図１８は、図９に示した表示装置２の変形例の構成を示す説明図である。図９の表示装置２では、タイミングコントローラ７は、休止駆動制御信号とタイミングが等しい検出指示信号（矢印Ｈ）を、タッチパネル３のコントロール部９へ出力する。
【０１１３】
ここで、図９の表示装置２では、タイミングコントローラ７は、映像信号（クロック信号、同期信号、映像データ信号など）を受信してから信号線駆動回路５に同期制御信号（ソーススタートパルス信号、ソースラッチストローブ信号、ソースクロック信号など）を出力するまで数クロック分〜数ラインの走査分の遅れを生じさせている。これはタイミングコントローラ７の内部でのタイミングの生成や画像処理などに時間が必要であるからである。
【０１１４】
一方、表示装置２は、図１８に示すように、走査線駆動回路４が、走査信号線Ｇの本数に応じた数のゲートドライバ部４’（図示の例では２つ）を備えてもよい。
【０１１５】
また、表示装置２は、図１８に示すように、信号線駆動回路５が、データ信号線Ｓの本数に応じた数のソースドライバ部５’（信号線駆動部、検出指示手段、図示の例では３つ）を備えてもよい。
【０１１６】
これらのソースドライバ部５’は、上述した遅延が存在しない分だけ、タイミングコントローラ７よりも厳密に、走査モードおよび休止モードのタイミングを認識している。
【０１１７】
そこで、図１８に示すように、ソースドライバ部５’の内の１つから、接続端子２０を介して、タッチパネル３のコントロール部９へ、検出指示信号を出力しても良い。これにより、タイミングコントローラ７から検出部コントロール部９へ検出指示信号を出力する際の遅延の影響を除去できるので、表示装置２の休止モードの期間をより正確に検出装置３に伝達することが可能となり、タッチパネル３の検出部８における検出動作を、より正確に制御することが可能となる。
【０１１８】
ここで、上記の各実施の形態において、タッチパネル検出期間については、タッチパネル検出期間の開始時刻および終了時刻は、検出指示信号がアクティブである期間であればよい。
【０１１９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１２０】
例えば、上記実施形態では、タイミングコントローラ７からタッチパネル３に検出指示信号を出力している。これに対し、検出指示信号に対応する休止駆動制御信号がタイミングコントローラ７から走査線駆動回路４に出力されていることから、走査線駆動回路４が、検出指示信号をタッチパネル３に送信してもよい。
【０１２１】
また、上記実施形態では、タッチパネル３を利用しているが、本発明は任意の検出装置に適用可能である。この検出装置の例としては、タッチパネル３の他に、外部の装置からの電波を受信（検出）するＲＦ（Radio Frequency）受信回路などが挙げられる。ＲＦ受信回路も、電波を受信する時に、表示装置から放射されるＥＭＩ（ElectroMagnetic Interference）の影響を受ける。このため、表示装置が休止モードである時に、ＲＦ受信回路が電波の受信（検出）の動作を行うことにより、受信した信号の精度を向上させることができる。
【０１２２】
以上のように、本発明に係る表示装置は、画面に画像を表示する表示素子と、走査を行う走査モード、および、該走査を休止する休止モードを交互に繰り返すように前記表示素子を駆動する駆動手段とを備える表示装置であって、上記課題を解決するために、該駆動手段は、複数回の走査モードおよび複数回の休止モードにより、１画面の走査を行うように前記表示素子を駆動可能であり、前記休止モードにて、外部の検出装置に対し、検出を指示する検出指示信号を出力することを特徴としている。
【０１２３】
また、本発明に係る表示装置の駆動方法は、画面に画像を表示する表示素子に対し、走査を行う走査モード、および、該走査を休止する休止モードを交互に繰り返すように駆動する表示装置の駆動方法であって、上記課題を解決するために、複数回の走査モードおよび複数回の休止モードにより、１画面の走査を行うように前記表示素子を駆動しており、前記休止モードにて、外部の検出装置に対し、検出を指示する検出指示信号を出力することを特徴としている。
【０１２４】
上記の構成および方法によると、複数回の走査モードおよび複数回の休止モードにより１画面の走査を行うことが可能になる。従って、１回の走査モードおよび１回の休止モードにより１画面の走査を行う従来の表示装置に比べて、前記休止モードの回数を増やすことができる。
【０１２５】
また、前記休止モードにおいて、検出指示信号が外部の検出装置に出力されることにより、該検出装置は検出の動作を行う。これにより、前記検出装置では、前記検出の結果の精度を向上させることができる。また、上述のように、前記休止モードの回数を増やすことができるので、前記検出の動作の回数を増加させることができる。その結果、例えば前記手書き入力に対応することができる。
【０１２６】
本発明の一態様に係る表示装置では、前記駆動手段は、前記休止モードにおいて、前記表示装置内の回路の動作を低減若しくは休止し、或いは該回路を低能力化することが好ましい。この場合、休止モードにおける消費電力を低減することができる。また、前記駆動によるノイズの発生を低減できるので、前記検出装置による検出の結果の精度をさらに向上させることができる。
【０１２７】
前記表示素子としては、マトリクス状に配列された複数の画素電極を備えるマトリクス型の表示素子が挙げられる。
【０１２８】
本発明の一態様に係る表示装置では、前記走査は飛越し走査であってもよい。この場合、画面全体の大まかな走査が行われるので、画面の一部の走査が時間を開けて行われる場合に比べて、表示品位の劣化を抑制することができる。なお、上記飛越し走査は、１ラインごとの飛越し走査であってもよいし、複数ラインごとの飛越し走査であってもよい。
【０１２９】
ところで、表示装置の中には、１画面の走査を行う間に、前記画素電極に印加する電圧の極性を反転するように前記表示素子を駆動する表示装置が存在する。この場合、当該表示装置における駆動信号が検出装置に及ぼす影響が増大する。そこで、当該表示装置に対し、本願発明を適用すれば、いっそう効果を奏することになる。
【０１３０】
本発明の一態様に係る表示装置では、前記駆動手段は、前記休止モードから前記走査モードに移行する直前に、前記画素電極に印加する電圧の極性を反転するように前記表示素子を駆動してもよい。この場合、前記走査モードから前記休止モードに移行した直後に、前記画像の信号の極性を反転して前記表示素子に入力する場合に比べて、例えば輝度傾斜の発生などのような、表示品位の低下を抑制することができる。
【０１３１】
本発明の一態様に係る表示装置では、前記表示素子は、前記画素電極を駆動するための複数のデータ信号線および複数の走査信号線とをさらに備えており、前記駆動手段は、前記データ信号線および前記走査信号線をそれぞれ駆動するデータ駆動回路および走査駆動回路を備えており、前記検出指示信号は、前記データ駆動回路および走査駆動回路の何れか一方が出力してもよい。
【０１３２】
前記データ駆動回路および走査駆動回路は、前記表示素子を駆動する最も近い回路となるから、前記表示素子を駆動するタイミングをより厳密に把握することになる。すなわち、休止モードの期間も厳密に把握することができる。従って、前記データ駆動回路および走査駆動回路の何れか一方から前記検出指示信号を出力することにより、検出装置における検出の動作を休止モードの期間内で確実に行うことができる。
【０１３３】
本発明の一態様に係る表示装置では、前記駆動手段は、１回の走査モードおよび１回の休止モードにより１画面の走査を行うように前記表示素子を駆動する通常走査用駆動手段と、複数回の走査モードおよび複数回の休止モードにより１画面の走査を行うように前記表示素子を駆動する複数走査用駆動手段と、通常走査用駆動手段および複数走査用駆動手段の何れかを選択する選択手段とを備えることが好ましい。
【０１３４】
例えば、前記選択手段は、前記通常走査用駆動手段を選択する期間と、前記複数走査用駆動手段を選択する期間との割合が予め設定されており、該割合に基づいて、通常走査用駆動手段および複数走査用駆動手段の何れかを選択することが挙げられる。
【０１３５】
また、前記選択手段は、所定期間に前記通常走査用駆動手段を選択する回数と、前記所定期間に前記複数走査用駆動手段を選択する回数との何れかが予め設定されており、該回数に基づいて、通常走査用駆動手段および複数走査用駆動手段の何れかを選択することが挙げられる。
【０１３６】
これらの場合、所定期間での休止モードの回数、すなわち、所定期間での上記検出の動作の回数を、所望の回数とすることができる。
【０１３７】
また、前記選択手段は、外部の装置からの指示に基づいて、通常走査用駆動手段および複数走査用駆動手段の何れかを選択することが挙げられる。この場合、上記外部の装置が所望するタイミングで上記検出動作の回数を増加させることができる。
【０１３８】
なお、前記表示装置の例としては、液晶表示装置、有機エレクトロルミネッセンス（ＥＬ）表示装置などが挙げられる。有機ＥＬ表示装置は、走査モードにおける消費電流が大きく、該表示装置における駆動信号が検出装置に及ぼす影響が増大する。そこで、当該表示装置に対し、本願発明を適用すれば、いっそう効果を奏することになる。
【０１３９】
本発明の一態様に係る表示装置では、前記表示素子は、複数の画素と、該複数の画素のそれぞれに設けられた複数のスイッチング素子とを備えており、該スイッチング素子は、半導体層に酸化物半導体が用いられたＴＦＴであることが好ましい。
【０１４０】
各画素のスイッチング素子として、電子移動量が比較的高い酸化物半導体を半導体層に用いたＴＦＴを採用することにより、各画素に対して画素データを書き込む時の電子移動量が増大し、該書き込みにかかる時間を短縮することができる。これにより、走査を著しく高速に行うことができ、走査モードの期間を短縮することができるので、休止モードの期間を十分に確保することができる。従って、前記検出装置における検出の結果の精度をさらに向上させることができる。なお、前記酸化物半導体としては、電子移動量がより高いＩＧＺＯを用いることが、より好ましい。
【０１４１】
なお、上記構成の表示装置と、該表示装置からの検出指示信号に基づいて検出を行う検出装置とを備えた電子機器であれば、上述の効果と同様の効果を奏することができる。
【０１４２】
また、前記検出装置の例としては、前記表示装置の画面に設けられるタッチパネル、電波を検出して、該電波に含まれる信号を受信するＲＦ受信装置などが挙げられる。
【０１４３】
前記タッチパネルは、前記表示装置に接近して設けられるので、該表示装置における駆動信号による影響が大きい。従って、前記検出装置としてタッチパネルを利用すれば、本願発明がより効果を奏することになる。
【０１４４】
また、前記ＲＦ受信装置は、前記表示装置における駆動信号により該表示装置から放射されるＥＭＩ（電磁妨害）による影響を受け易い。従って、前記検出装置としてＲＦ受信装置を利用すれば、本願発明がより効果を奏することになる。
【産業上の利用可能性】
【０１４５】
以上のように、本発明に係る表示装置は、複数回の走査モードおよび複数回の休止モードによる１画面の走査が可能となり、前記休止モードにおいて、検出指示信号を外部の検出装置に出力するので、該検出装置における検出の動作の回数を増加でき、かつ、上記検出の結果の精度を向上できるので、走査を行う任意の表示装置に適用することができる。
【符号の説明】
【０１４６】
１・１’  電子機器
２  表示装置
２ａ  表示パネル（表示素子）
３  タッチパネル
４  走査線駆動回路（駆動手段）
５  信号線駆動回路（駆動手段）
６  共通電極駆動回路
７  タイミングコントローラ（駆動手段）
８  検出部
９  コントロール部
１０  本体装置
７０  通常走査用タイミング生成回路（通常走査用駆動手段）
７１  複数走査用タイミング生成回路（複数走査用駆動手段）
７２  選択部（選択手段）
【図１】
2012137800.tif 000003
【図２】
2012137800.tif 000004
【図３】
2012137800.tif 000005
【図４】
2012137800.tif 000006
【図５】
2012137800.tif 000007
【図６】
2012137800.tif 000008
【図７】
2012137800.tif 000009
【図８】
2012137800.tif 000010
【図９】
2012137800.tif 000011
【図１０】
2012137800.tif 000012
【図１１】
2012137800.tif 000013
【図１２】
2012137800.tif 000014
【図１３】
2012137800.tif 000015
【図１４】
2012137800.tif 000016
【図１５】
2012137800.tif 000017
【図１６】
2012137800.tif 000018
【図１７】
2012137800.tif 000019
【図１８】
2012137800.tif 000020
【図１９】
2012137800.tif 000021
【手続補正書】
【提出日】平成25年1月17日(2013.1.17)
【手続補正１】
【補正対象書類名】特許請求の範囲
【補正対象項目名】全文
【補正方法】変更
【補正の内容】
【特許請求の範囲】
【請求項１】
画面に画像を表示する表示素子と、走査を行う走査モード、および、該走査を休止する休止モードを交互に繰り返すように前記表示素子を駆動する駆動手段とを備える表示装置であって、
該駆動手段は、
複数回の走査モードおよび複数回の休止モードにより、１画面の走査を行うように前記表示素子を駆動可能であり、
前記休止モードにて、外部の検出装置に対し、検出を指示する検出指示信号を出力しており、
前記表示素子は、マトリクス状に配列された複数の画素電極を備えるマトリクス型の表示素子であり、
前記表示素子は、前記画素電極を駆動するための複数のデータ信号線および複数の走査信号線とをさらに備えており、
前記駆動手段は、前記データ信号線および前記走査信号線をそれぞれ駆動するデータ駆動回路および走査駆動回路を備えており、
前記検出指示信号は、前記データ駆動回路および走査駆動回路の何れか一方が出力することを特徴とする表示装置。
【請求項２】
前記駆動手段は、前記休止モードにおいて、前記表示装置内の回路の動作を低減若しくは休止し、或いは該回路を低能力化することを特徴とする請求項１に記載の表示装置。
【請求項３】
前記走査は飛越し走査であることを特徴とする請求項１または２に記載の表示装置。
【請求項４】
前記駆動手段は、１画面の走査を行う間に、前記画素電極に印加する電圧の極性を反転するように前記表示素子を駆動することを特徴とする請求項１から３までの何れか１項に記載の表示装置。
【請求項５】
前記駆動手段は、前記休止モードから前記走査モードに移行する直前に、前記画素電極に印加する電圧の極性を反転するように前記表示素子を駆動することを特徴とする請求項１から３までの何れか１項に記載の表示装置。
【請求項６】
前記駆動手段は、
１回の走査モードおよび１回の休止モードにより１画面の走査を行うように前記表示素子を駆動する通常走査用駆動手段と、
複数回の走査モードおよび複数回の休止モードにより１画面の走査を行うように前記表示素子を駆動する複数走査用駆動手段と、
通常走査用駆動手段および複数走査用駆動手段の何れかを選択する選択手段とを備えることを特徴とする請求項１から５までの何れか１項に記載の表示装置。
【請求項７】
前記選択手段は、前記通常走査用駆動手段を選択する期間と、前記複数走査用駆動手段を選択する期間との割合が予め設定されており、該割合に基づいて、通常走査用駆動手段および複数走査用駆動手段の何れかを選択することを特徴とする請求項６に記載の表示装置。
【請求項８】
前記選択手段は、所定期間に前記通常走査用駆動手段を選択する回数と、前記所定期間に前記複数走査用駆動手段を選択する回数との何れかが予め設定されており、該回数に基づいて、通常走査用駆動手段および複数走査用駆動手段の何れかを選択することを特徴とする請求項６に記載の表示装置。
【請求項９】
前記選択手段は、外部の装置からの指示に基づいて、通常走査用駆動手段および複数走査用駆動手段の何れかを選択することを特徴とする請求項６に記載の表示装置。
【請求項１０】
前記表示装置は液晶表示装置であることを特徴とする請求項１から９までの何れか１項に記載の表示装置。
【請求項１１】
前記表示装置は、有機エレクトロルミネセンス表示装置であることを特徴とする請求項１から９までの何れか１項に記載の表示装置。
【請求項１２】
前記表示素子は、複数の画素と、該複数の画素のそれぞれに設けられた複数のスイッチング素子とを備えており、
該スイッチング素子は、半導体層に酸化物半導体が用いられたＴＦＴであることを特徴とする請求項１から１１までの何れか１項に記載の表示装置。
【請求項１３】
前記酸化物半導体は、ＩＧＺＯであることを特徴とする請求項１２に記載の表示装置。
【請求項１４】
請求項１から１３までの何れか１項に記載の表示装置と、
該表示装置からの検出指示信号に基づいて検出を行う検出装置とを備えた電子機器。
【請求項１５】
前記検出装置は、前記表示装置の画面に設けられるタッチパネルであることを特徴とする請求項１４に記載の電子機器。
【請求項１６】
前記検出装置は、電波を検出して、該電波に含まれる信号を受信するＲＦ受信装置であることを特徴とする請求項１４に記載の電子機器。
【請求項１７】
画面に画像を表示する表示素子に対し、走査を行う走査モード、および、該走査を休止する休止モードを交互に繰り返すように駆動する表示装置の駆動方法であって、
複数回の走査モードおよび複数回の休止モードにより、１画面の走査を行うように前記表示素子を駆動しており、
前記表示素子が備えるマトリクス状に配列された複数の画素電極を駆動するために、前記表示素子が備える複数のデータ信号線および複数の走査信号線をそれぞれ駆動するデータ駆動回路および走査駆動回路の何れか一方が、前記休止モードにて、外部の検出装置に対し、検出を指示する検出指示信号を出力することを特徴とする表示装置の駆動方法。
【手続補正書】
【提出日】平成25年4月17日(2013.4.17)
【手続補正１】
【補正対象書類名】特許請求の範囲
【補正対象項目名】全文
【補正方法】変更
【補正の内容】
【特許請求の範囲】
【請求項１】
表示装置とタッチパネルとを備えた電子機器であって、
前記表示装置は、画面に画像を表示する表示素子と、走査を行う走査モード、および、該走査を休止する休止モードを交互に繰り返すように前記表示素子を駆動する駆動手段とを備えており、
該駆動手段は、
複数回の走査モードおよび複数回の休止モードにより、１画面の走査を行うように前記表示素子を駆動可能であり、
前記休止モードにて、前記タッチパネルに対し、前記タッチパネルへの入力の検出を指示する検出指示信号を出力しており、
前記表示素子は、マトリクス状に配列された複数の画素電極を備えるマトリクス型の表示素子であり、
前記表示素子は、前記画素電極を駆動するための複数のデータ信号線および複数の走査信号線とをさらに備えており、
前記駆動手段は、前記データ信号線および前記走査信号線をそれぞれ駆動するデータ駆動回路および走査駆動回路を備えており、
前記検出指示信号は、前記データ駆動回路または走査駆動回路の何れか一方が出力するものであり、
前記タッチパネルは、前記表示装置からの前記検出指示信号に基づいて、前記タッチパネルへの入力を検出することを特徴とする電子機器。
【請求項２】
前記駆動手段は、前記休止モードにおいて、前記表示装置内の回路の動作を低減若しくは休止し、或いは該回路を低能力化することを特徴とする請求項１に記載の電子機器。
【請求項３】
前記走査は飛越し走査であることを特徴とする請求項１または２に記載の電子機器。
【請求項４】
前記駆動手段は、
１回の走査モードおよび１回の休止モードにより１画面の走査を行うように前記表示素子を駆動する通常走査用駆動手段と、
複数回の走査モードおよび複数回の休止モードにより１画面の走査を行うように前記表示素子を駆動する複数走査用駆動手段と、
通常走査用駆動手段または複数走査用駆動手段の何れかを選択する選択手段とを備えることを特徴とする請求項１から３までの何れか１項に記載の電子機器。
【請求項５】
前記選択手段は、前記通常走査用駆動手段を選択する期間と、前記複数走査用駆動手段を選択する期間との割合が予め設定されており、該割合に基づいて、通常走査用駆動手段または複数走査用駆動手段の何れかを選択することを特徴とする請求項４に記載の電子機器。
【請求項６】
前記選択手段は、所定期間に前記通常走査用駆動手段を選択する回数、または、前記所定期間に前記複数走査用駆動手段を選択する回数の何れかが予め設定されており、該回数に基づいて、通常走査用駆動手段または複数走査用駆動手段の何れかを選択することを特徴とする請求項４に記載の電子機器。
【請求項７】
前記選択手段は、外部の装置からの指示に基づいて、通常走査用駆動手段または複数走査用駆動手段の何れかを選択することを特徴とする請求項４に記載の電子機器。
【請求項８】
前記表示装置は液晶表示装置であることを特徴とする請求項１から７までの何れか１項に記載の電子機器。
【請求項９】
前記駆動手段は、１画面の走査を行う間に、前記画素電極に印加する電圧の極性を反転するように前記表示素子を駆動することを特徴とする請求項８に記載の電子機器。
【請求項１０】
前記駆動手段は、前記休止モードから前記走査モードに移行する直前に、前記画素電極に印加する電圧の極性を反転するように前記表示素子を駆動することを特徴とする請求項８に記載の電子機器。
【請求項１１】
前記表示装置は、有機エレクトロルミネセンス表示装置であることを特徴とする請求項１から７までの何れか１項に記載の電子機器。
【請求項１２】
前記表示素子は、複数の画素と、該複数の画素のそれぞれに設けられた複数のスイッチング素子とを備えており、
該スイッチング素子は、半導体層に酸化物半導体が用いられたＴＦＴであることを特徴とする請求項１から１１までの何れか１項に記載の電子機器。
【請求項１３】
前記酸化物半導体は、ＩＧＺＯであることを特徴とする請求項１２に記載の電子機器。
【請求項１４】
表示装置とタッチパネルとを備えた電子機器のタイミング制御方法であって、
前記表示装置は、画面に画像を表示する表示素子に対し、走査を行う走査モード、および、該走査を休止する休止モードを交互に繰り返すように駆動し、かつ、複数回の走査モードおよび複数回の休止モードにより、１画面の走査を行うように駆動しており、
前記表示装置は、前記表示素子が備えるマトリクス状に配列された複数の画素電極を駆動するために、前記表示素子が備える複数のデータ信号線および複数の走査信号線をそれぞれ駆動するデータ駆動回路または走査駆動回路の何れか一方が、前記休止モードにて、前記タッチパネルに対し、前記タッチパネルへの入力の検出を指示する検出指示信号を出力し、
前記タッチパネルは、前記表示装置からの前記検出指示信号に基づいて、前記タッチパネルへの入力を検出することを特徴とする電子機器のタイミング制御方法。
【国際調査報告】
2012137800.tif 000022
2012137800.tif 000023
2012137800.tif 000024
2012137800.tif 000025